(57)【要約】【課題】可燃性を有する冷媒を用いた冷蔵ショーケースに関し、冷媒漏洩時の安全性を高めることを目的とする。【解決手段】機械室３の底板部に複数の連通孔１３と脚部１４を備えたので、冷媒漏れの場合機械室３の側面だけでなく下部からも排気ができ、凝縮器ファンを連続で運転することでガスの拡散をより早くできる。さらに、商品貯蔵庫１と機械室３に連通孔１５を設けたので、商品貯蔵庫１内での漏洩時のガス濃度の上昇を抑え冷媒漏洩時の安全性を高めることができる。【選択図】図１
2012107823.tif 000002
【特許請求の範囲】
【請求項１】
商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記機械室の底板部に複数の連通孔と脚部を備え、前記冷却システムの冷媒として可燃性冷媒を用いたことを特徴とする冷蔵ショーケース。
【請求項２】
商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記商品貯蔵庫と前記機械室に連通孔を備え、前記冷却システムの冷媒として可燃性冷媒を用いたことを特徴とする冷蔵ショーケース。
【請求項３】
商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記冷却システムの冷媒として可燃性冷媒を用いるとともに、前記機械室の凝縮器用ファンは連続運転を行うことを特徴とする冷蔵ショーケース。
【請求項４】
可燃性冷媒として、炭化水素系冷媒、ＨＦＣ系冷媒、ＨＦＯ系冷媒のいずれか、もしくは、炭化水素系冷媒、ＨＦＣ系冷媒、ＨＦＯ系冷媒の少なくとも１種を含む２種以上の混合冷媒としたことを特徴とする請求項１から３のいずれか一項に記載の冷蔵ショーケース。
【発明の詳細な説明】
【技術分野】
【０００１】
本発明は、缶飲料などの商品を冷却保存し内部が見えるクローズドタイプの冷蔵ショーケースにおいて、可燃性を有する冷媒を用いた冷蔵ショーケースに関するものである。
【背景技術】
【０００２】
近年、冷蔵ショーケースは、他の電気製品同様に消費電力量削減の要求が高まってきており、さらに、環境への影響の少ない冷媒として温暖化係数の小さい冷媒やノンフロン冷媒を適用するものが提案されている。（例えば、特許文献１参照）
特許文献１は、可燃性の自然冷媒と二酸化炭素冷媒を混合した混合冷媒を用いた冷凍装置に関するものである。
【０００３】
以下、図面を参照しながら従来の冷蔵ショーケースを説明する。
【０００４】
図２は従来の冷蔵ショーケースの側面断面図である。このような卓上型のクローズドショーケースはコンビニエンスストアや弁当販売店等で飲料や冷蔵商品を貯蔵して販売する場合によく利用されている。
【０００５】
図２に示すように、従来の冷蔵ショーケースは、商品貯蔵庫１内に蒸発器２、商品貯蔵庫１の外である機械室３に設置された圧縮機４、凝縮器５、膨張機構６を配管で順次環状に接続した冷却システムを有する。冷却システム内には冷媒（図示せず）が封入されてあり、冷媒としては多くの場合、小型機にはＲ１３４ａ、大型機にはＲ４０４Ａ等のＨＦＣ冷媒が使用されている。商品貯蔵庫１内に蒸発器２の冷気を循環させるファンモータ７、機械室３には凝縮器用ファン８を備えている。商品貯蔵庫１内の商品が見えるように、ガラス板９で壁面が構成されている。また、商品の出し入れができるよう開閉可能なガラス扉１０が備えてある。ガラス板９とガラス扉１０には、高断熱性のガラス板や複層ガラスを使用しガラス面の断熱性能を高め結露発生を抑えている。また、機械室３の側面には吸気口１１と排気口１２があり、周囲から吸排気ができるようになっている。
【０００６】
以上のように構成された従来の冷蔵ショーケースについて、以下その動作を説明する。
【０００７】
商品貯蔵庫１を冷却する場合、圧縮機４から吐出された冷媒は、凝縮器５で凝縮された後、膨張機構６で減圧されて、蒸発器２へ供給される。そして、蒸発器２で蒸発した冷媒が圧縮機４へ還流する。蒸発器２の冷気をファンモータ７で循環させることで、商品貯蔵庫１内の飲料や冷蔵商品は冷やされ、温度が約５℃から８℃に保たれる。
【０００８】
このように、高断熱性のガラス板や複層ガラスを使用しているので、結露発生を抑えて消費電力量も抑えることができる。
【０００９】
以上のように構成された従来の冷蔵ショーケースについて、以下その動作を説明する。
【００１０】
商品貯蔵庫１を冷却する場合、圧縮機４から吐出された冷媒は、凝縮器５で凝縮された後、膨張機構６で減圧されて、蒸発器２へ供給される。そして、蒸発器２で蒸発した冷媒が圧縮機４へ還流する。蒸発器２の冷気をファンモータ７でダクトを介して循環させることで、商品貯蔵庫１内の飲料や冷蔵商品は冷やされ、温度が約５℃から８℃に保たれる。一方、機械室３では、凝縮器用ファン８が圧縮機４と同期運転を行い、凝縮器５での冷媒の凝縮を行い、さらには圧縮機４の冷却や蒸発器２から出てくるドレーン水の蒸発促進を行っている。このとき、機械室３の風路としては、側面の吸気口１１から吸気され、排気
口１２から排気される。
【先行技術文献】
【特許文献】
【００１１】
【特許文献１】特開２００４−１９８０６２号公報
【発明の概要】
【発明が解決しようとする課題】
【００１２】
しかしながら、上記従来の構成では、冷媒がＲ１３４ａやＲ４０４Ａの場合、オゾン破壊係数は０であるが、温暖化係数が大きく、より環境影響が少ない自然冷媒や温暖化係数の小さい冷媒への変更が課題となってきている。大型機器の場合は冷媒封入量や冷凍能力の面から二酸化炭素冷媒を主に検討が行われている。しかしながら、小型機器については、圧縮機のラインナップやコストの面から可燃性を有する自然冷媒や微燃性のＨＦＯ−１２３４ｙｆが候補として検討が行われている。可燃性や微燃性を有する冷媒は、万が一の冷媒漏れで着火源があると急激な圧力上昇現象が発生することが懸念される。よって、安全確保の面から、電気部品の着火性の排除、冷媒漏れのリスク低減、冷媒量の削減等が必要となる。
【００１３】
万が一、商品収納庫内でガスリークが発生し、着火による圧力上昇現象によるガラスの破損、飛散による被害拡大が懸念され、その対応策が課題であった。
【００１４】
本発明は、従来の課題を解決するもので、ガラスの飛散防止を行い、万が一の事態に対する安全性を確保した冷蔵ショーケースを提供することを目的とする。
【課題を解決するための手段】
【００１５】
上記従来の課題を解決するために、本発明の冷蔵ショーケースは、冷却システムの冷媒として可燃性冷媒を用い、商品貯蔵庫内の商品が視認できる可視光透過性の壁面を備えたものにおいて、前記機械室の底板部に複数の連通孔と脚部を備えたものである。
【００１６】
これによって、万が一のガス漏れ発生の場合、機械室の側面の吸気口、排気口だけでなく機械室の下部からもガスの拡散を行うことができ、より早くガス濃度を下げることができる。
【００１７】
また、商品貯蔵庫と機械室に連通孔を備えることで、商品貯蔵庫内でガス漏れが発生した場合、商品貯蔵庫内の内圧が上がるので連通孔から機械室へ排出され、ガス濃度の上昇を抑えるとともにより早くガス濃度を下げることができる。
【発明の効果】
【００１８】
本発明の冷蔵ショーケースは、冷却システムの冷媒として可燃性冷媒を用い、商品貯蔵庫内の商品が視認できる可視光透過性の壁面を備えたものにおいて、前記機械室の底板部に複数の連通孔と脚部を備えたので、万が一のガス漏れ発生の場合、機械室の側面の吸気口、排気口だけでなく機械室の下部からもガスの拡散を行うことができ、より早くガス濃度が下がり安全性を向上することができる。
【００１９】
また、商品貯蔵庫と機械室に連通孔を備えることで、商品貯蔵庫内でガス漏れが発生した場合、連通孔から排出され、ガス濃度の上昇を抑えるとともにより早くガス濃度が下がり安全性を向上することができる。
【図面の簡単な説明】
【００２０】
【図１】本発明の実施の形態１による冷蔵ショーケースの側面断面図
【図２】従来の冷蔵ショーケースの側面断面図
【発明を実施するための形態】
【００２１】
請求項１に記載の発明は、商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記機械室の底板部に複数の連通孔と脚部を備え、前記冷却システムの冷媒として可燃性冷媒を用いたものであり、万が一のガス漏れ発生の場合、機械室の側面の吸気口、排気口だけでなく機械室の下部からもガスの拡散を行うことができ、より早くガス濃度が下がり安全性を向上することができる。
【００２２】
請求項２に記載の発明は、商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記商品貯蔵庫と前記機械室に連通孔を備え、前記冷却システムの冷媒として可燃性冷媒を用いたものであり、商品貯蔵庫内でガス漏れが発生した場合、商品貯蔵庫内の内圧が上がるので連通孔から機械室へ排出され、ガス濃度の上昇を抑えるとともにより早くガス濃度を下げることができる。
【００２３】
請求項３に記載の発明は、商品を陳列収納する商品貯蔵庫と、前記商品貯蔵庫内に設置された蒸発器と商品を収納する区画の外である機械室に設置された圧縮機と凝縮器と膨張機構と配管とで環状に接続した冷却システムと、前記商品貯蔵庫内の商品が視認できる可視光透過性の壁面とを備えた冷蔵ショーケースにおいて、前記冷却システムの冷媒として可燃性冷媒を用いるとともに、前記機械室の凝縮器用ファンは連続運転を行うものであり、万が一のガス漏れ発生の場合、機械室の側面の吸気口、排気口だけでなく機械室の下部からも瞬時にガスの拡散を行うことができ、ただちにガス濃度を下げることができる。
【００２４】
請求項４に記載の発明は、請求項１から３のいずれか一項に記載の発明において、可燃性冷媒として、炭化水素系冷媒、ＨＦＣ系冷媒、ＨＦＯ系冷媒のいずれか、もしくは、炭化水素系冷媒、ＨＦＣ系冷媒、ＨＦＯ系冷媒の少なくとも１種を含む２種以上の混合冷媒としたものであり、小型冷却機器における地球温暖化防止を図ることができる。
【００２５】
以下、本発明による冷蔵ショーケースの実施の形態について図面を参照しながら説明する。なお、この実施の形態によってこの発明が限定されるものではない。
【００２６】
（実施の形態１）
図１は実施の形態１の冷蔵ショーケースの側面断面図である。
【００２７】
図１において、商品貯蔵庫１内に蒸発器２、商品貯蔵庫１の外である機械室３に設置された圧縮機４、凝縮器５、膨張機構６を配管で順次環状に接続した冷却システムを有する。冷却システム内には冷媒（図示せず）が封入されてあり、冷媒として可燃性を有する冷媒が使用されている。例えば、メタン、エタン、プロパン、イソブタン、ペンタン等の炭化水素系冷媒、Ｒ３２、Ｒ１５２ａ、Ｒ１４３ａなどのＨＦＣ系冷媒、ＨＦＯ１２３４ｙｆ、ＨＦＯ１２３４ｚｅ等のＨＦＯ系冷媒、あるいはこれらの少なくとも１つを含む２種以上の混合された冷媒などを挙げることができる。
【００２８】
これらの冷媒は、燃焼範囲内のガス濃度において、着火源となる火気があると燃焼する冷媒であるが、特に炭化水素系冷媒はオゾン破壊係数が０であり、温暖化係数も小さく、環境影響が少ない自然冷媒である。また、ＨＦＯ系冷媒は微燃性を有する冷媒でありＲ１
３４ａ代替冷媒として近年開発されたものである。
【００２９】
冷媒ガスの比重は冷媒により異なるが、炭化水素系冷媒のプロパンは１．５５、イソブタンは２．０１であり、空気より重く下に溜まりやすい性質を持っている。商品貯蔵庫１内に蒸発器２の冷気を循環させるファンモータ７、機械室３には凝縮器用ファン８を備えている。なお、凝縮器用ファン８は連続運転を行う仕様としている。
【００３０】
商品貯蔵庫１内の商品が見えるように、可視光透過性の壁面９で壁面が構成されている。また、商品の出し入れができるよう開閉可能な可視光透過性の扉１０が備えてある。可視光透過性の壁面９と可視光透過性の扉１０には、例えば、高断熱性のガラス板や複層ガラスを使用し断熱性能を高め結露発生を抑えている。
【００３１】
機械室３の側面には吸気口１１と排気口１２があり、周囲から吸排気ができるようになっている。機械室３の底板部に複数の連通孔１３が設けてあり、さらに、脚部１４で底上げされており、機械室３の底からも吸排気ができるようになっている。商品貯蔵庫１と機械室３は断熱材で仕切られているが、その一部に連通孔１５を設けている。
【００３２】
以上のように構成された冷蔵ショーケースについて、以下その動作、作用を説明する。
【００３３】
商品貯蔵庫１を冷却する場合、圧縮機４から吐出された冷媒は、凝縮器５で凝縮された後、膨張機構６で減圧されて、蒸発器２へ供給される。そして、蒸発器２で蒸発した冷媒が圧縮機４へ還流する。蒸発器２の冷気をファンモータ７で循環させることで、商品貯蔵庫１内の飲料や冷蔵商品は冷やされ、温度が約５℃から８℃に保たれる。一方、機械室３は圧縮機４の運転の有無に関わらず凝縮器用ファン８を連続で運転させている。冷却システム内の可燃性を有する冷媒は銅管をロー付けや溶着することにより密閉された系の内部を還流するだけで外部には漏れ出すことはない。しかしながら、振動による配管折れや配管腐食により外部へのガスリークが考えられる。
【００３４】
機械室３の配管部よりガス漏れが発生した場合、機械室３の側面には吸気口１１と排気口１２、さらに機械室３の底板部に設けた複数の連通孔１３から機器の周囲へガスを拡散することができる。例えば、壁に沿った形での設置や、コーナー部に設置された場合、吸気口１１と排気口１２の一部が塞がれることもあるが、特に、比重が重いプロパンやイソブタンは底部からの排気が効果的となる。さらに、凝縮器用ファン８を連続で運転しているので、ガス拡散は瞬時にでき、ガス濃度が危険な濃度まで上昇することはない。
【００３５】
商品貯蔵庫１の内部においてガス漏れが発生すると商品貯蔵庫１内の圧力がわずかながら上昇する。よって、機械室３との連通孔１５から機械室３へ排気することとなる。よって、商品貯蔵庫１のガス濃度の上昇を抑え、ガス漏れが終了すると高いガス濃度の状態を維持することなくガス濃度を下げることができる。さらに、凝縮器用ファン８を連続で運転しているので、機械室３でもガス拡散は瞬時にでき、ガス濃度が危険な濃度まで上昇することはない。
【００３６】
これにより、可燃性を有する冷媒を用いて、万が一のガス漏れが起こった場合でも、安全性を高め安心できる冷蔵ショーケースを提供することができる。
【００３７】
なお、本実施の形態では、機械室３の底板部に設けた複数の連通孔１３の場所の指定は行っていないが、圧縮機４や凝縮器５の溶接部や配管がある部分の下に連通孔１３を設けるとより効果的である。
【００３８】
また、商品貯蔵庫１と機械室３の一部に連通孔１５を設けているが、この連通孔はドレ
ーン水の排出口を利用してもよい。
【００３９】
また、凝縮器用ファン８は、圧縮機４の運転の有無に関わらず連続で運転させているが、省エネ性を考慮して圧縮機４の停止は回転数を下げて運転させてもよい。
【産業上の利用可能性】
【００４０】
以上のように、本発明にかかる冷蔵ショーケースは、機械室の底板部に複数の連通孔と脚部を備え機械室の下部からも吸排気を行うことができるようにして、ガス漏れに対応したもので、小型や卓上型の貯蔵庫・業務用機器・自動販売機にも適用できる。
【符号の説明】
【００４１】
１  商品貯蔵庫
２  蒸発器
４  圧縮機
５  凝縮器
６  膨張機構
９  可視光透過性の壁面
１０  可視光透過性の扉
１１  吸気口
１２  排気口
１３  連通孔
１４  脚部
１５  連通孔
【図１】
2012107823.tif 000003
【図２】
2012107823.tif 000004